(57)【特許請求の範囲】
【請求項１】
両端にリードを有する直管ランプと、前記リードに接続されて前記直管ランプの軸方向と直角な方向に延びた接続端子と、前記接続端子を保持する保持部を両端に有するランプホルダと、前記接続端子を装着するランプソケットを有する器具本体とを備え、
前記リードは根元側が前記直管ランプの軸方向と直角な方向に折曲され、前記接続端子は前記直管ランプの両端より内側に位置して前記リードの先端に接続されている照明器具。
【請求項２】
前記接続端子は一対の取付ブロックに保持され、前記一対の取付ブロックが前記ランプホルダの前記保持部に保持され、前記保持部は前記取付ブロックの取付部を解除可能に固定する固定部を前記ランプホルダの上部に設けた請求項１記載の照明器具。
【請求項３】
前記器具本体は開口を有し、前記ランプソケットは前記開口の内側に相対向して設けられ、前記ランプホルダは前記開口を塞ぐように前記接続端子が前記ランプソケットに装着することにより取付けられ、前記接続端子が前記ランプソケットから外れるように前記ランプホルダを前記器具本体から取り外すための溝を前記器具本体の前記ランプソケットの近傍の外側面に設けた請求項１記載の照明器具。
【請求項４】
前記ランプホルダはその長手方向の前記接続端子よりも両端側にそれぞれランプホルダ用補強兼用の感電防止部を有する請求項１記載の照明器具。
【請求項５】
前記ランプソケットは前記接続端子の装着方向の両側につば部と抜け止め部を有し、前記器具本体は前記つば部が挿入されるスリットを有するとともに、前記つば部が前記スリットに挿入された状態で前記抜け止め部に係止する係止部を有する請求項１記載の照明器具。
【発明の詳細な説明】
【技術分野】
【０００１】
この発明は、非常灯や誘導灯などの表示用照明器具等の照明器具に関するものである。
【背景技術】
【０００２】
従来例（例えば特許文献１参照）を図６から図１０に示す。１００は表示用照明器具の器具本体、１０１は点灯ブロック、１０２はランプホルダ、１０３はランプソケット、１０４は表示ユニット、１０５は蓄電池、１０６は端子台である。点灯ブロック１０１、ランプソケット１０３、蓄電池１０５、端子台１０６は器具本体１００内に取付けられ、ランプホルダ１０２と表示ユニット１０４とで開口を塞ぎ、ランプホルダ１０２のランプからの光を表示ユニット１０４の導光板の端面に入射し、表示ユニット１０４を明るく表示させる。
【０００３】
ランプホルダ１０２は本体１１０、一対の取付ブロック１１１、リード線付き冷陰極ランプ１１２、接続端子１１３および反射板１１４より構成されている。冷陰極ランプ１１２のリード線１１５に接続端子１１３を接続し、接続端子１１３を取付ブロック１１１に挿着し、取付ブロック１１１を本体１１０に保持している。この場合、冷陰極ランプ１１２の軸上に延びたリード線１１５と接続端子１１３とを加締めバンド１１６により加締め接続し、接続端子１１３は冷陰極ランプ１１２の長手方向の両端より外方に設けられていた。また、取付ブロック１１１はガイドリブ１２０と感電防止リブ１２１をそれぞれ形成し、本体１１０の両端の保持部１１７に収納され、取付ブロック１１１の爪を用いた取付部１１８が本体１１０に設けた解除溝１１９の縁部に解除可能に係止されている。保持部１１７は補強リブ１２２を器具本体１００に向けて突出し、解除溝１１９をガイド部１２０と補強リブ１２４との間に設けていた。
【０００４】
ランプホルダ１０２の本体１１０と器具本体１００との合わせ部には本体１１０側、すなわち本体１１０の両端にランプホルダ１０２を外すための溝１２３が設けられ、そこにコインまたは工具を入れることにより着脱を行っていた。
【０００５】
ランプホルダ１０２の両端部に設けられた補強リブ１２４は、ランプホルダ１０２を着脱する際の補強となる。感電防止リブ１２１はランプホルダ１０２を外す過程でランプホルダ１０２と器具本体１００との間にできた隙間から通電状態の接続端子１１３に触れることのないようにする。
【０００６】
ランプソケット１０３は器具本体１００に設けられている固定用爪１２５によりランプソケット１０３の中心の１個所で固定され、さらに器具本体１００に設けられている抜け止め用リブ１２６により抜け止め処理を行っている。
【特許文献１】特開２００３−２０３５１１号公報
【発明の開示】
【発明が解決しようとする課題】
【０００７】
しかしながら、この従来例は、リード１１５と接続端子１１３とを冷陰極ランプ１１２の外側で加締めているためランプホルダユニットの長手方向を小型化することが困難であった。
【０００８】
また、取付ブロック１１１の解除溝１１９は本体１１０の器具本体１００に向いた面で、ガイドリブ１２０と補強リブ１２２との間に設けていたため、ブロック自体も小型化することが難しかった。
【０００９】
さらにランプホルダ１０２の本体１１０側にランプホルダ１０２を外すための溝１２３を設けていたため、本体１１０のエンド部の肉厚を厚くする必要があり、長手方向を小型化することに支障があった。
【００１０】
したがって、この発明の目的は、上記問題点を解消し、小型化が可能な照明器具を提供することである。
【課題を解決するための手段】
【００１１】
この発明の照明器具は、直管ランプが両端にリードを有する。接続端子が前記リードに接続されて前記直管ランプの軸方向と直角な方向に延びている。ランプホルダは前記接続端子を保持する保持部を両端に有する。器具本体は前記接続端子を装着するランプソケットを有する。前記リードは根元側が前記直管ランプの軸方向と直角な方向に折曲され、前記接続端子は前記直管ランプの両端より内側に位置して前記リードの先端に接続されている。
【００１２】
上記構成において、前記接続端子は一対の取付ブロックに保持され、前記一対の取付ブロックが前記ランプホルダの前記保持部に保持され、前記保持部は前記取付ブロックの取付部を解除可能に固定する固定部を前記ランプホルダの上部に設けている。
【００１３】
上記構成において、前記器具本体は開口を有し、前記ランプソケットは前記開口の内側に相対向して設けられている。前記ランプホルダは前記開口を塞ぐように前記接続端子が前記ランプソケットに装着することにより取付けられている。前記接続端子が前記ランプソケットから外れるように前記ランプホルダを前記器具本体から取り外すための溝を前記器具本体の前記ランプソケットの近傍の外側面に設けている。
【００１４】
上記構成において、前記ランプホルダはその長手方向の前記接続端子よりも両端側にそれぞれランプホルダ用補強兼用の感電防止部を有する。
【００１５】
上記構成において、前記ランプソケットは前記接続端子の装着方向の両側につば部と抜け止め部を有し、前記器具本体は前記つば部が挿入されるスリットを有するとともに、前記つば部が前記スリットに挿入された状態で前記抜け止め部に係止する係止部を有する。
【発明の効果】
【００１６】
この発明の照明器具によれば、直管ランプとリードとを合わせた形状を例えばＵ字状となすようにリードを折曲し、接続端子が直管ランプの軸方向の内側となるようにリード線に接続することで、ランプホルダの長手方向を短縮して小型化することができ、表示用照明器具のデザイン性の向上が図れる。
【００１７】
ランプホルダの取付ブロック用固定部をランプホルダの上部に設けることにより、取付ブロック用固定部をランプホルダにおける接続端子の突出する面に設ける場合よりも、ランプホルダの長手方向を短縮可能となり、小型化することができるので表示用照明器具のデザイン性の向上が図れる。
【００１８】
器具本体側にランプホルダを外すための溝を設けたことによりランプホルダの両端部の肉厚を薄くすることができ、長手方向を短縮し小型化することができ、表示用照明器具のデザイン性の向上が図れる。
【００１９】
感電防止部をランプホルダを器具本体に取付けるときの補強を兼ねたものとしたことにより、これらを別々に設けたものと比較して、ランプホルダの幅方向を短縮し小型化することができ、表示用照明器具のデザイン性の向上を図れる。
【００２０】
ランプソケットは前記接続端子の装着方向の両側につば部と抜け止め部を有し、前記器具本体は前記つば部が挿入されるスリットを有するとともに、前記つば部が前記スリットに挿入された状態で前記抜け止め部に係止する係止部を有することにより、ランプソケットは接続端子の装着方向の両側に接続端子の装着できる装着部を設けたものに適用でき、器具本体の両面に表示ユニットがある両面型表示用照明器具に適用できる。
【発明を実施するための最良の形態】
【００２１】
この発明の一実施の形態の表示用照明器具例えば誘導灯を図１から図５に示す。すなわち、この誘導灯は、器具本体１と、ランプホルダ２と、点灯ブロック３と、電池ボックス４と、端子台５と、表示ユニット６からなる。
【００２２】
器具本体１は、前面に開口１ｆを形成した直方体状の箱形とくに薄箱形であり、開口１ｆの奥側となる背板１ａ、側板１ｂ、１ｃ、下板１ｄ、上板１ｅからなる。背板１ａには上部寄りに電源穴７および複数の壁取付孔８を形成している。背板１ａの側板１ｂの下端寄りに電池ボックス固定用爪を用いた係止片１４を立設状態に設けている。下板１ｄには複数の点検関連用の穴９が設けられている。上板１ｅには天井取付けの際に使用する電源穴１０および取付け穴１１が設けられている。側板１ｂ、１ｃには各上端部にランプホルダ２を支持するランプソケット１２が設けられ、中間部に表示ユニット６の引っ掛け部６ａを引っ掛けるための係止部１３を設けている。
【００２３】
ランプホルダ２は、直管ランプ１５の接続端子２２と反射板１６を保持する保持部２７を両端に有する。このランプホルダ２は直管ランプの長さにほぼ等しい長さを有し、前板２ｂと上板２ａと両端板２ｃからなる断面略Ｌ字形の部材であり、器具本体１の開口１ｆの上端部を閉じるように配置される。保持部２７は取付ブロック２０を収納するスペースを有し、ランプホルダ２の両端板２ｃの内側に設けられている。保持部２７の器具本体１内に向く面すなわち前板２ｂと反対側となる面には器具本体１の側板１ｂ、１ｃの内面に位置する感電防止部１７を突設し、感電防止部１７はリブ状であってランプホルダ２の補強を兼ねている。感電防止部１７に隣接してランプホルダ２の中央寄りの位置に感電防止部１７と間隔をおいてランプソケット１２の表面に当接可能なリブ状のガイド部１８を突出している。また上板２ａの両端部には取付ブロック２０の固定部兼解除部となる解除孔１９を形成している。保持部２７には取付ブロック２０が収納され、取付ブロック２０の取付部２１となる爪を解除孔１９に内部から挿通し孔縁に抜け止め係止して取付けられている。したがって、取付部２１の爪を解除孔１９に対して縁部から外すことにより取付ブロック２０をランプホルダ２から取り外すことができる。このように解除孔１９を上板２ａに設けることにより、ガイド部１８と補強兼用の感電防止部１７の間を狭くすることができる。取付ブロック２０は感電防止部１７とガイド部１８の位置で接続端子２２を挿着するための溝２３を形成している。
【００２４】
またランプホルダ２は器具本体１の開口１ｆを塞ぐように接続端子２２がランプソケット１２に装着することにより取付けられるが、その際ランプホルダ２を器具本体１から取り外すための溝３６を器具本体１のランプソケット１２の近傍の外側面に設けている。ランプホルダ２を器具本体１から取り外す際、ランプホルダ２と器具本体１との合わせ部となるこの溝３６にコインまたは工具を入れて取り外す。
【００２５】
直管ランプ１５は例えば冷陰極ランプであり、その両端よりリード２４を軸方向に延出し、リード２４は根元側から例えば約１ｍｍの位置で軸方向に対して約９０度すなわち直角な方向に折曲され、接続端子２２は直管ランプ１５の両端より内側に位置してリード２４の先端に接続され、直管ランプ１５の軸方向と直角な方向に延びている。すなわち、接続端子２２の基部がＳ字ないしＺ字形に折曲され、リード２４の先端とリード２４よりも直管ランプ１５の中央側にリード２４と平行に隣接配置されて、加締めバンド２５により加締められて接続されている。このとき接続端子２２は直管ランプ１５の両端よりも中央寄りに位置する。また接続端子２２は中間部が取付ブロック２０の略Ｌ字形の溝２３に挿着されて突出方向に移動しないように保持される。接続端子２２が取付ブロック２０の溝２３に挿着され、取付ブロック２０が保持部２７に収納され、ガイド部１８と感電防止部１７の間の溝に嵌め込まれて保持される。こうして接続端子２２が取付ブロック２０に保持されることで直管ランプ１５がランプホルダ２に保持される。接続端子２２は直管ランプ１５の両端より内側に設けられているため、ランプホルダ２の長手方向を短くすることができる。
【００２６】
また反射板１６の両端が取付ブロック２０に支持され、ランプホルダ２の上板２ａおよび前板２ｂの内側と直管ランプ１５との間に直管ランプ１５に沿って保持される。３０は反射板押さえである。
【００２７】
ランプソケット１２は、開口１ｆの内側に相対向して設けられている。ランプソケット１２の接続口１２ａに接続端子２２が挿着されてランプホルダ２が器具本体１に保持される。この場合、ランプホルダ２は接続端子２２よりもランプホルダ２の両端側にそれぞれ感電防止部１７を有しているため、接続端子２２の通電状態でランプホルダ２を外す際に感電防止できる。
【００２８】
このランプソケット１２は、接続端子２２の装着方向の両側につば部３２と抜け止め部３３が設けられ、器具本体１はつば部３２が挿入されるスリットを有し、つば部３２がスリットに挿入された状態で抜け止め部３３に係止する爪を用いた係止部３４を有する。抜け止め部３３は弾性を有し、器具本体１の係止部３４に固定されることにより、器具背面と平行および垂直な方向の回転を防止している。ランプソケット１２のリブとなるつば部３２は、ランプソケット１２自体の補強とともに器具本体１に取付けられている係止部３４を含む突起により器具背面と垂直方向の抜け止めの役割を果たしている。
【００２９】
点灯ブロック３は器具本体１の下板１ｄの前面からみて右寄りに配置されている。点検関連用の穴９に対向して点検スイッチやモニタランプを配置している。また点灯ブロック３の左側に電池ボックス４が配置されている。電池ボックス４は蓄電池が内蔵され、コネクタ部２７が点灯ブロック３の窪み２８に設けた端子に直接接続されている。電池ボックス４は器具本体１に設けた係止爪１４と窪み２８に設けられコネクタ部に引っ掛ける引っ掛け部とで固定される。端子台５は電池ボックス４の上側に取付部５ａにより背板１ａに取付けられ、点灯ブロック３に設けた受け端子に端子台５の差し込み端子が接続される。端子台５は速結端子を内蔵し、点灯ブロック３に向けて斜めに開口した電線挿入孔５ｂを有する。
【００３０】
矩形状の表示ユニット６は導光板を有し、引っ掛け部６ａが器具本体１の係止部１３に係止して開口１ｆのランプホルダ２の下側の開口部分を塞いでいる。この場合、ランプホルダ２を差し込む前に表示ユニット６を開口１ｆに挿入して係止部１３の上面に当接しスライドすることにより引っ掛け部６ａを係止部１３の裏面側に係合し、ついでランプホルダ２を装着し表示ユニット６を同時に固定する。このとき直管ランプ１５が導光板の端面に対向し、直管ランプ１５の光が導光板の端面に入射し、表示ユニット６を光らせる。なお、表示ユニット６が開口１ｆに取付けられた状態でランプホルダ２を表示面に直交する方向に移動させてランプソケット１２から外すことにより着脱できる。
【図面の簡単な説明】
【００３１】
【図１】この発明の一実施の形態の表示用照明器具のランプホルダの分解斜視図である。
【図２】ランプホルダの斜視図である。
【図３】その部分断面図である。
【図４】表示用照明器具の一部分解斜視図である。
【図５】（ａ）はランプソケットの取付状態の斜視図、（ｂ）はその部分正面図である。
【図６】従来例の表示用照明器具の分解斜視図である。
【図７】そのランプホルダの分解斜視図である。
【図８】ランプホルダの斜視図である。
【図９】その部分断面図である。
【図１０】ランプソケットの取付状態の斜視図である。
【符号の説明】
【００３２】
１    器具本体
１ｆ    開口
２    ランプホルダ
１２    ランプソケット
１５    直管ランプ
１７    感電防止部
１９    解除孔
２０    取付ブロック
２１    取付部
２２    接続端子
２４    リード  
２７    保持部
３２    つば部
３３    抜け止め部
３４    係止部
３６    溝
【図１】
0004462167.tif 000002
【図２】
0004462167.tif 000003
【図３】
0004462167.tif 000004
【図４】
0004462167.tif 000005
【図５】
0004462167.tif 000006
【図６】
0004462167.tif 000007
【図７】
0004462167.tif 000008
【図８】
0004462167.tif 000009
【図９】
0004462167.tif 000010
【図１０】
0004462167.tif 000011